(57)【要約】【課題】  集合住宅等のインターホンシステムであって、来訪者によるカメラ付きインターホンからの呼び出しを受けるインターホン子機に対して、予め用意されている文字及び図形等の報知情報を来訪者撮像画像に付加して該インターホン子機の表示装置に表示する機能を備えたインターホンシステムを提供する。【解決手段】  インターホンを備え集合住宅管理室に設置された管理室親機１０と、該管理室親機によって制御され、文字及び／又は可視画像からなる報知情報を予め記憶しておく情報記憶装置１２と、各住戸に設置された住宅情報盤１６に付属している表示装置付きインターホン子機１８、２２とから構成される。前記インターホンの作動信号に応じて予め記憶されている報知情報の中からインターホン作動の都度選択された報知情報を前記インターホンの表示装置に対して順次割り込み表示させるための自動割込み配信機能を備えた表示装置付きインターホンシステムである。【選択図】  図１
2009194800.tif 000002
【特許請求の範囲】
【請求項１】
インターホンを備え集合住宅管理室に設置された管理室親機と、該管理室親機によって制御され、文字および／または可視画像からなる報知情報を記憶しておく情報記憶装置と、各住戸に設置された住宅情報盤に付属していて火災・非常・ガス漏れ・水漏れ等の各種警報並びに防犯等の報知端末として機能する表示装置付きインターホン子機と、を有し、前記インターホンの作動信号に応じて前記報知情報の中からインターホン作動の都度選択された報知情報を前記インターホンの表示装置に対して順次割り込み表示させるための自動割込み情報配信機能を備えた、ことを特徴とする表示装置付きインターホンシステム。
【請求項２】
前記報知情報が、商品名、商標、サービスマーク、サービス関連広告、デパート、スーパーマーケット、専門店、提供社名、キャッチフレーズ、各種イベント、売り出しその他催し物等への参加を勧める私的色彩を有する広告・宣伝情報である、ことを特徴とする請求項１に記載の自動割込み情報配信機能を備えた表示装置付きインターホンシステム。
【請求項３】
前記報知情報が、国・地方自治体、警察、消防、気象、管理組合等からの報知事項、交通標語、スローガン等の公的色彩を有する広報情報である、ことを特徴とする請求項１に記載の自動割込み情報配信機能を備えた表示装置付きインターホンシステム。
【請求項４】
前記情報記憶装置に対する報知情報が、システム管理者によって定期的にまたは適時更新される、ことを特徴とする請求項１ないし３のいずれかに記載の自動割込み情報配信機能を備えた表示装置付きインターホンシステム。
【請求項５】
前記情報記憶装置に記憶される報知情報が、システム管理者からのオンライン操作により定期的にまたは適時更新される、ことを特徴とする請求項１ないし３のいずれかに記載の自動割込み情報配信機能を備えた表示装置付きインターホンシステム。
【請求項６】
前記表示装置付きインターホンシステムが、集合住宅管理室又は外部に設置された共用サーバーを介してインターネット接続、非常警報、電子回覧板等の機能を備えた集合住宅情報処理システムと連携し、該集合住宅情報処理システムの端末として共用し得る、ことを特徴とする請求項１ないし５のいずれかに記載の自動割込み情報配信機能を備えた表示装置付きインターホンシステム。
【発明の詳細な説明】
【技術分野】
【０００１】
本発明は、集合住宅等に設置される表示装置付きインターホンシステムであって、来訪者の呼び出しに応じてインターホンで応答する際に表示装置の画像表示部に対して、予め用意されている文字および図形等の情報を自動割込みにより表示する機能を備えたインターホンシステムに関する。なお、ここにいう集合住宅には、分譲・賃貸等のマンション、社宅、官舎、各種寮等のように名称、規模、階数等にはこだわらず、多数の住戸が集合している形態の住宅を指称するものである。
【背景技術】
【０００２】
近年、大都市圏にあっては、交通網、商業・文化の利便性等生活環境の良好な土地の有効利用を勘案して多くの分譲・賃貸の大規模集合住宅が出現している。この種の大規模集合住宅にあっては管理室や管理組合からの連絡事項や留意事項等の徹底にも多大の労力ないし設備の運用が必要となる。一方、入居者の立場からは昼間勤務する職場と住居地との行政区画が地理的に離れていることが多く、居住地域における行政、司法その他の地域サービス、飲食、ショッピング、医療等の事情が把握し難く、地域に密着し、かつ時宜を得た情報が必要となることが多い。
【０００３】
さらに、近年の高度に発達した情報社会に手軽に参入するための手近な手段としてのインターネットが簡易に活用可能な環境が求められている。集合住宅の各住戸からこれら回線に容易にアクセス可能としかつ管理室や近隣住戸との各種情報交換を容易にするために集合住宅情報処理がシステム化されることが多い。このような集合住宅情報処理システムでは、共用部内の適宜位置、例えば管理室やその近傍に設置された共用サーバーと、各住戸にそれぞれ設置されたマルチメディア端末（住宅情報盤）とから構成される。各住戸内からは、室内の適宜位置に設置され、電話、ケーブル類等を組み合わせたマルチメディア端末から内外の各種システムにアクセスすることができるようになっている。
【０００４】
特許文献１は、集合住宅ＬＡＮによる情報処理システムを介して各種情報サービスや双方向性の情報交換手段を開示している。管理室または管理人の管理の下に、共用サーバーから各住戸の住宅情報盤に対して所要情報、例えば電子回覧板や電子掲示板の伝送、外部の行政機関・医療機関・福祉施設等や企業との間における所要情報の授受、ショッピング・催物その他サービスの案内などを提供するシステムも普及しつつある。さらに、主として居住者の便宜ならびに安全や保安施設として旧来から設置されている表示装置付きインターホンシステムは、来訪者確認のための撮像カメラ、玄関（ロビー）ロック機構の開閉、非常・火災・ガス漏れ・水漏れ等の警報ならびに電話会社の局線と接続された電話機能等を集合したものが広く普及している。
【０００５】
特許文献２は、映像入力インターフェース付き端末と各住戸に配置される複数の住戸端末によって構成される警報報知動画表示インターホンシステムを開示している。映像入力インターフェースに入力されたアナログ動画映像信号は、映像入力インターフェース付き端末内でＡ／Ｄ変換を行い、動画圧縮した上で各住戸端末に送信されて記憶される。そのため、各住戸端末ではデジタル動画圧縮処理用の構成を設ける必要をなくした警報報知動画表示インターホンシステムを開示している。
【０００６】
また、特許文献３は、カメラ付きドアホン子機とテレビインターホン親機とを信号線Ｌ１で接続し、さらにテレビインターホン親機に無線アダプタを接続した無線対応型テレビインターホン無線増設親機を付加した無線対応型テレビインターホンシステムを開示している。この無線増設親機は、テレビモニタと、来客待ち画像を蓄積したメモリと、映像バッファと、映像表示制御手段とを備えており、この映像表示制御手段では、カメラ付きドアホン子機からの呼び出しを受けると、伝送されてくる来客映像を映像バッファに蓄積しながら、テレビモニタには来客待ち画像を表示しておき、来客映像が映像バッファに蓄積された時点で来客映像に切替えて映し出すように構成している。
【特許文献１】特開２００３−２７４０２５号公報
【特許文献２】特開２００４−３３６６４１号公報
【特許文献３】特開２００６−２７０７８２号公報
【発明の開示】
【発明が解決しようとする課題】
【０００７】
本発明の課題は、集合住宅等に設置されるインターホンシステムであって、来訪者によるカメラ付きロビーインターホンからの呼び出しを受けるインターホン子機に対して、予め用意されている或いは取り込んだ文字および図形等の報知情報を来訪者撮像画像に付加して該インターホン子機の表示装置に表示する機能を備えたインターホンシステムを提供することである。
【課題を解決するための手段】
【０００８】
請求項１に記載の発明は、インターホン１４を備え集合住宅管理室に設置された管理室親機１０と、該管理室親機によって制御され、文字および／または可視画像からなる報知情報を記憶しておく情報記憶装置１２と、各住戸に設置された住宅情報盤１６に付属していて火災・非常・ガス漏れ・水漏れ等の各種警報並びに防犯等の報知端末として機能する表示装置付きインターホン子機１８、２２と、を有し、前記インターホン１４の作動信号に応じて前記報知情報の中からインターホン作動の都度選択された報知情報を前記インターホンの表示装置に対して順次割り込み表示させるための自動割込み配信機能を備えた表示装置付きインターホンシステムであることを特徴とする。
【０００９】
請求項２に記載する発明は、前記報知情報が、商品名、商標、サービスマーク、サービス関連広告、デパート、スーパーマーケット、専門店、提供社名、キャッチフレーズ、各種イベント、売り出しその他催し物等への参加を勧める私的色彩を有する広告・宣伝情報である、自動割込み情報配信機能を備えた表示装置付きインターホンシステムであることを特徴とする。
【００１０】
請求項３に記載する発明は、前記報知情報が、国・地方自治体、警察、消防、気象、管理組合等からの報知事項、標語、スローガン等の公的色彩を有する広報情報である、自動割込み情報配信機能を備えた表示装置付きインターホンシステムであることを特徴とする。
【００１１】
請求項４に記載する発明は、前記情報記憶装置１２に対する報知情報が、システム管理者によって定期的にまたは適時更新される、自動割込み情報配信機能を備えた表示装置付きインターホンシステムであることを特徴とする。
【００１２】
請求項５に記載する発明は、前記情報記憶装置に記憶される報知情報が、システム管理者からのオンライン操作により定期的にまたは適時更新される、自動割込み情報配信機能を備えた表示装置付きインターホンシステムであることを特徴とする。
【００１３】
請求項６に記載する発明は、前記表示装置付きインターホンシステムが、集合住宅管理室又は外部に設置された共用サーバー３０を介してインターネット接続、非常警報、電子回覧板等の機能を備えた集合住宅情報処理システムと連携し、該集合住宅情報処理システムの端末として共用し得る、自動割込み情報配信機能を備えた表示装置付きインターホンシステムであることを特徴とする。ここで、共用サーバーの設置場所としての外部としては、当該集合住宅の管理運営会社、当該システムの管理運営会社等が挙げられる。
【発明の効果】
【００１４】
本発明に係る表示装置付きインターホンシステムによれば、本システムが設置された集合住宅における各住戸の居住者に対して、表示装置付きインターホンシステムを使用する都度、管理室親機内の情報記憶装置に予め蓄積されかつ随時更新される広告その他の報知情報が、インターホンシステム本来の表示内容、例えば訪問者の容姿を表示する画像を阻害しない範囲で割り込み伝送・表示されるため、住戸居住者はインターホン子機の表示部における表示内容を目視確認することができる。
【００１５】
この場合の報知情報は、国、地方公共団体、警察、税務、気象、管理組合等からの公的色彩の強い報知情報や、私的企業、団体等からの宣伝・広告等の私的色彩の強い報知情報、対象建造物に関連するもの等の有用情報、等とすることができる。なお、通常のインターホンによる通話を阻害しないような音量でＢＧＭその他の音響情報を含めることも可能である。また、広告情報としての例えば、自動車の走行、ゴルフプレイ等の情景を訪問者の容姿の背景画像とすることも可能である。
【００１６】
本発明に係る表示装置付きインターホンシステムでは、集合住宅全体に設置されたインターネット接続、非常警報、館内報知、電子回覧板等の機能を備えた集合住宅情報処理システムと連携させることができ、緊急を要する各種警報や館内報知等については、集合住宅情報処理システムによって行うことが相応しい。したがって、上述のようなインターホンが使用される毎に作動する態様での報知情報は任意性が強く、緊急性を要しない情報の報知として利用されるものが適する。
【発明を実施するための最良の形態】
【００１７】
以下、添付図を参照しつつ本発明に係る表示装置付きインターホンシステムの実施の形態について開示する。図１は集合住宅における管理室１、ロビー（玄関）２および選ばれた住戸３（１）（２）（３）・・・（ｎ）のそれぞれに設置された表示装置付きインターホンシステムの主要部を示すものである。集合住宅全体のインターホンシステムを総合的に管理・制御する管理室親機１０は、集合住宅の管理室１またはその近傍に設置される。この管理室親機１０には、本発明において必要となる文字および／または画像からなる報知情報を記憶しておく情報記憶装置１２、インターホン１４が付属している。なお、報知情報を記憶しておく情報記憶装置は、管理室親機でなくインターホン子機１８、２２に付属させるように構成することもできる。
【００１８】
集合住宅等のロビー２には、インターホンシステムのインターホン（カメラ付き玄関機）１４が設置される。このカメラ付きインターホン１４は、カメラの撮像範囲に入った来訪者が目的とする住戸番号を入力することにより、対象とする住戸３に設置された住宅情報盤１６を介して接続されたインターホン子機１８、２２との間で回線が形成される。当該住戸の居住者が応答スイッチ１８Ｓ（図２参照）を操作することによって、カメラ撮像画像情報および音声信号による交信が可能となる。
【００１９】
なお、各住戸３に設置されるインターホン子機１８は、壁面に取り付けられた壁掛け式（固定型）とすることができることはもとより、回線に接続された無線送受端末２０との間で交信可能である送受機能を備えた可搬式インターホン子機２２とすることもできる。さらに、両者を設置しておき、使用時の状況に応じて選択的に使用するような構成は、居住者の利便性を向上させることができるため好ましい。
【００２０】
集合住宅には管理室１に共用サーバー３０を設置し、そして各住戸に住宅情報盤１６（またはマルチメディア端末）をそれぞれ設置してインターネットを利用可能な集合住宅ＬＡＮを構築する傾向がある。上記インターホンシステムで各住戸に配設される表示付きインターホン子機１８、２２を、このような集合住宅ＬＡＮの端末として複合的に利用可能である。その結果、集合住宅内部はもとより国内外の各種ネットワークや有線・無線の各種通信システムに対してより有機的にアクセス可能として多種多様なサービスを教授することができる。なお、前記共用サーバーの設置場所は集合住宅の管理室内に限定されるものではなく、例えば、当該集合住宅の管理運営会社、当該システムの管理運営会社等の外部に設置することもできる。
【００２１】
図２は、各住戸に設置される表示装置付きインターホン子機１８、または可搬式インターホン子機２２のパネル面の構成例を示すものであり、パネル面には呼び出しを受けた際に操作して応答する応答スイッチ１８Ｓ、呼び出し信号の送信者である来訪者を確認するための表示部１８Ｄ、音声応答するための送受話部１８Ｍ＆Ｓ（マイク＆スピーカ）が設けられている。そして、表示部１８Ｄの適宜部位、例えば図２での表示部下段には、情報記憶装置１２に予め蓄積されていて、インターホン作動の都度、選択して伝送され、画面合成の上割込み伝送される広告その他の報知情報を表示するための広告等報知情報の表示領域１８Ｃを備えている。
【００２２】
なお、この表示領域１８Ｃの設定部位は任意で、表示部１８Ｄの上方または上下双方、左右いずれか、あるいは左右双方、のように適宜部位に設けることができる。上下双方または左右双方のような表示形態にあたっては、例えば一方に文字情報、他方に画像情報等のように分離して表示することもできる。さらに、一方にはキャッチフレーズや広告の主文、他方には提供社や提供団体（または個人商店）の画像、訪問者の容姿の背景画像として自動車の走行等の情景等を表示するようにしてもよい。
【００２３】
以下、本発明に係るインターホンシステムにおける表示様式について開示する。管理室親機１０に付属する情報記憶装置１２には、システムを管理する担当者の操作に応じて、インターホン子機１８、２２の表示装置１８Ｄに対して表示すべき広告その他の報知情報を、記憶しておく。報知情報は所定情報量単位毎に編集された画像情報および／または文字情報を所要数記憶しておく。この場合の情報量は、インターホン表示部１８Ｄ内に予定されている報知情報表示領域１８Ｃによって上限が定められる。
【００２４】
なお、担当者が現場で管理する態様に代えて、インターネット、専用回線、電話網等を介してデジタルまたはアナログの報知情報として定時または随時に遠方より伝送する方式であっても良い。かかる遠方伝送方式であれば、傘下にある同様のシステムに対してその都度必要と思われる報知情報を伝送し、適時更新することができる。また、インターホン子機１８、２２の表示部１８Ｄに表示される広告その他の報知情報は、管理室親機１０またはインターホン子機１８、２２の管理下において、インターネット接続により広告主等のサーバーから任意に取り込むことができる。
【００２５】
情報記憶装置１２に個々の現場での直接入力またはインターネットその他通信回線を介してのオンライン入力、更新が行われた広告その他の報知情報は、管理室親機１０の制御の下に、入力順または予め定められたルール、例えば情報内容のジャンル毎に定められた順序、アルファベット順、内容によって分類された時間帯別の順位、等々によって取出し（割り込み）順序を定めることができる。
【００２６】
例えば、公的情報または私的情報毎、幼児および保護者向け、小学生向け、中・高校生向け、主婦向け、ビジネス従事者向け、年代別などジャンル別に広告・その他情報の提供時間帯を定めておき、当該時間帯に合わせて切替え送出するように設定することも可能である。なお、住戸数が所定数に達していないような小規模集合住宅のシステムにあっては、報知情報件数も少なくなることが予想されるため全体の中からその都度ランダムに伝送するように構成することも可能である。
【００２７】
図３は、上述のように情報記憶装置１２から所定順序で抽出された広告その他の報知情報Ｘと、インターホン（カメラ付き玄関機）１４の撮像カメラによる画像情報Ｙと、を情報混合・画面編集手段２４において合成・編集し、インターホン玄関機１４において選択された住戸のインターホン子機１８、２２に表示する際の信号処理を模式表示したものである。
【００２８】
報知情報Ｘは、情報記憶装置１２に予め記憶されている広告その他の報知情報の中から所定プログラムに従って選択された報知情報である。撮像情報Ｙは、インターホン玄関機１４のカメラによって撮影された画像情報である。情報混合・画面編集手段２４は、報知情報Ｘと撮影された画像情報Ｙとを組合せ、インターホン子機１８、２２の表示装置の画面に適合する情報を合成する。報知情報信号Ｘと撮像信号Ｙとは信号形式が統一されていることが望ましい。仮に、一方がアナログ信号で他方がデジタル信号のように異なる場合はいずれか一方に対してＡ／Ｄ変換またはＤ／Ａ変換等を行う回路を付加し信号形式を同化させればよい。
【００２９】
このように、本発明に係る表示装置付きインターホンシステムによれば、本システムが設置された集合住宅における各住戸の居住者に対して、表示装置付きインターホンシステムを使用する度に、管理室親機に付属する情報記憶装置に予め蓄積されかつ随時更新される広告その他報知情報が表示される。当然、インターホンシステム本来の機能、例えば来訪者の容姿を表示する画像により、家族・知人・予約された来客等不審者でないことを確認の上解錠操作を行って入場を認めることになる。
【００３０】
このようなインターホン子機の表示装置１８Ｄには、撮像カメラによる来訪者の容姿の画像に加えて、インターホンシステム内に蓄積されている広告その他を内容とする文字情報および／または画像情報を含む可視画像が、割り込み表示される。この場合の広告その他情報の可視画像は、システム管理者によって予め選択された日常生活にとって有用と解される公的情報ないし私的情報としての広告、広報、スローガン、キャッチフレーズ、交通標語等を含むものである。したがって、各住戸居住者はこのような可視情報をインターホン子機の表示部における表示内容を、インターホン使用の都度目視確認することができる。
【産業上の利用可能性】
【００３１】
以上説明したように、本発明に係る情報の自動割込み配信機能を備えた表示装置付きインターホンシステムによれば、来訪者がインターホン（カメラ付き玄関機）から住戸番号をプッシュ（ダイヤル）操作することにより、該当する住戸番号のインターホン子機がブザー・チャイム・ベル等を作動させ呼び出しを行う。当該居室の居住者は来訪者が不審者でないことを撮像情報から確認した上で、入場用ドアの解錠を行えるため所定のセキュリティレベルが維持される。
【００３２】
この場合、各住戸に設置されたインターホン子機の表示装置には、来訪者の撮像画面を阻害しない部位に対して管理室親機の管理の下に割り込み送信された広告その他の報知情報が同時に表示される。この広告その他の報知情報は管理者が居住者に対して有用情報と判断して導入される情報であるから、居住者が来訪者のインターホンを作動させると同時に有用情報を確認することができることになる。なお、本発明に係る情報の自動割込み配信機能を備えた表示装置付きインターホンシステムは、電話回線、インターネットシステム、その他情報提供手段などを含む集合住宅ＬＡＮのような各種システムと積極的に連携させることが可能であり、各種集合住宅等における利便性を高めることが可能となる。
【図面の簡単な説明】
【００３３】
【図１】本発明に係る情報の自動割込み配信機能を備えた表示装置付きインターホンシステムの構成例を示す図である。
【図２】本発明に係る表示装置付きインターホンシステムにおけるインターホン子機のパネル面の構成例を示す図である。
【図３】本発明に係る情報の自動割込み配信機能を備えた表示装置付きインターホンシステムによって行なわれる各情報信号の混合・合成および編集の概念図である。
【符号の説明】
【００３４】
１     集合住宅等管理室
２     玄関（ロビー）
３    （１）、（２）、（３）・・・（ｎ）住戸
１０   管理室親機
１２   情報記憶装置
１４   インターホン（カメラ付き玄関機）
１６   住宅情報盤
１８    インターホン子機（壁掛け式）
１８Ｓ   応答スイッチ
１８Ｄ   表示部
１８Ｃ  報知情報表示領域
１８Ｍ＆Ｓ  送受話部（マイク＆スピーカー）
２０    無線送受端末
２２    インターホン子機（可搬式）
２４    情報混合・画面編集処理手段
３０    共用サーバー
Ｘ      報知情報
Ｙ      画像情報
【図１】
2009194800.tif 000003
【図２】
2009194800.tif 000004
【図３】
2009194800.tif 000005